(57)【要約】【課題】  本発明は、マイナスイオンの発生個数が多く、通気性、吸水性、脱臭性、抗菌性を備え、しかも発生体の入手のしやすさをも解決した優れた寝具を提供する。【解決手段】  各種布団や枕等の寝具の内装材としてホタテ貝殻粉末を用い、マイナスイオンを発生させるホタテ貝殻粉末を用いた寝具であり、具体的には、ホタテ貝殻粉末を含む懸濁液を作製後、各種布団や枕等の寝具の内装材の表面に塗布させ、或いは内装材に浸漬させ、その後乾燥貼着させた寝具である。【特許請求の範囲】
【請求項１】
各種布団や枕等の寝具の内装材としてホタテ貝殻粉末を用い、マイナスイオンを発生させることを特徴とするホタテ貝殻粉末を用いた寝具。
【請求項２】
ホタテ貝殻粉末として、ホタテ貝殻を粉砕して得られる粉・粒状物又は該粉・粒状物の加工物を用いた請求項１記載のホタテ貝殻粉末を用いた寝具。
【請求項３】
ホタテ貝殻を粉砕して得られる粉・粒状物が、５００℃〜１０００℃の温度下で仮焼した後、水で消化して乾燥し、平均粒径１〜３０μに微粉砕した材料である請求項１又は２記載のホタテ貝殻粉末を用いた寝具。
【請求項４】
ホタテ貝殻粉末を含む懸濁液を作製後、各種布団や枕等の寝具の内装材の表面に塗布させた請求項１乃至３いずれか１に記載のホタテ貝殻粉末を用いた寝具。
【請求項５】
ホタテ貝殻粉末を含む懸濁液を作製後、各種布団や枕等の寝具の内装材を当該懸濁液に浸漬し、その後乾燥貼着させた請求項１乃至３いずれか１に記載のホタテ貝殻粉末を用いた寝具。
【請求項６】
懸濁液は、水１００部とバインダー５０〜１５０部を混合した液にホタテ貝殻粉末を２〜５０部添加してなるエマルジョン型の水性懸濁液である請求項４又は５記載のホタテ貝殻粉末を用いた寝具。
【請求項７】
バインダ−が、アクリル酸エステル系共重合体、ポリエステル系ウレタン、ポリエーテル系ウレタン、酢酸ビニル系共重合体である請求項６記載のホタテ貝殻粉末を用いた寝具。
【発明の詳細な説明】
【技術分野】
【０００１】
本発明は、各種の布団や枕等の寝具に関し、更に詳しくは、内装材として、ホタテ貝殻粉末を採用したマイナスイオンを発生する寝具に係るものである。
【背景技術】
【０００２】
従来より、各種の布団の内装材としては、もめん綿、羊毛綿、羽毛、ウレタンフォ−ム等が一般的であり、枕の内装材としては、適度な硬さを与えるためにパンヤやプラスチックで形成した小筒状の小片やソバガラ等が用いられている。
【０００３】
これらの寝具にあって、通気性、吸水性、脱臭性、抗菌性を備えることが好適といわれているが、これに適する素材は比較的少なかった。
【０００４】
これらを解決するものとして特許文献１がある。かかる技術の内容は、掛け布団、敷き布団、枕等の寝具の内装材として、風化サンゴの骨格を用いたことを特徴とする寝具を提案している。
【０００５】
【特許文献１】特許第２７８７６５５号
【０００６】
さて、近年に至り、マイナスイオンが人体に良い効果を与えることから、寝具にもマイナスイオン発生体を用いることが試みられている。マイナスイオンが人体に良い影響を与えることが言われており、例えば、血管の拡張、血圧の正常化、血液のアルカリ性傾向、心身のリラックス、脈拍が減少する、疲労回復効果がある、等々が言われている。
【０００７】
マイナスイオン発生体の粉末を基材に担持させた技術がある（特許文献２）。しかるに、マイナスイオン発生体として、トルマリン、レアア−ス鉱石、希陽石、琥珀、ガ−ネット、風化サンゴ等が用いられている。
【０００８】
【特許文献２】特開２００３−１３８４７９号公報
【０００９】
ここに用いられているマイナスイオン発生体はいずれも資源的に少ない材料に類するものであり、比較的高価である。
【００１０】
しかるに、特許文献２中にマイナスイオン発生体の一例として風化サンゴの記載があり、これによって特許文献１に記載された風化サンゴを用いた寝具も又マイナスイオンの発生が予測される。
【発明の開示】
【発明が解決しようとする課題】
【００１１】
後述するように、風化サンゴを用いた寝具の場合にあっては、相当数のマイナスイオンを発生することが知られているが、風化サンゴであるためその入手にもやや難しい面がある。本発明はかかる従来技術による寝具に改良を加えたものであり、マイナスイオンの発生個数が多く、しかも、発生体の入手のしやすさをも解決した、優れた寝具を提供することを目的としたものである。
【課題を解決するための手段】
【００１２】
本発明の要旨は、各種布団や枕等の寝具の内装材として、ホタテ貝殻粉末を用いたことを特徴とする寝具であり、更に具体的に言えば、ホタテ貝殻粉末として、ホタテ貝殻を粉砕して得られる粉・粒状物又は該粉・粒状物の加工物を用いたマイナスイオンを発生する寝具に係るものである。
【発明の効果】
【００１３】
本発明の寝具にあっては、マイナスイオンの発生個数が多い安価な寝具が得られ、この他の特徴として、通気性、吸水性、脱臭性、抗菌性等を兼ね備えた寝具が提供できたものである。
【発明を実施するための最良の形態】
【００１４】
本発明の寝具の構成は、寝具の内装材として、ホタテ貝殻粉末を用いた構成であり、更に具体的には、寝具の内装材として、ホタテ貝殻粉末を粉砕して得られる粉粒状物又は粉粒状物の加工物を用いた構成である。そして、ホタテ貝殻粉末から発生するマイナスイオンの発生個数が極めて大きいという知見から本発明に到達したものである。
【００１５】
即ち、本発明は、ホタテ貝殻を原料とし、それらを粉砕して粉粒状物とした物や、該粉粒状物を焼成して例えば塩分を除去した物や、他の物質と混合成形してシート状、小筒状等に加工を施して、マイナスイオンの発生をもたらす寝具の内装物とするものである。
【００１６】
一般に、ホタテ貝殻は石灰質の骨格であり、主な成分は炭酸カルシウムである。しかるに、現在ではホタテの養殖が盛んではあるがその貝殻は他に利用されず、廃棄物として捨てられ、海岸近辺に山積みされて放置されているのが現状である。本発明はかかる廃棄物の有効利用としても大きなメリットがあり、ホタテ貝殻を粉砕して得られる粉粒状物或いはこれを加工してなるものから多くのマイナスイオンが発生することを知見して本発明に到達したものである。更に言えば、通気性、吸水性、脱臭性、抗菌性等を備えた寝具を提供できたものである。
【００１７】
ホタテ貝殻粉末の寝具への充填の例としては、適当な大きさの布袋中に粉末を充填し、布袋をそのまま寝具中に適用する方法、綿、ウレタンフォ−ム、ラバ−フォ−ムの小片等とホタテ貝殻粉末を混合して布袋中に充填する方法、柔軟なシート状物、繊維状物、綿、ウレタンフォ−ム、ラバ−フォ−ム等にホタテ貝殻粉末をバインダ−にて貼着する方法等がある。
【００１８】
本発明で使われるホタテ貝殻粉末の具体例としては、原料のホタテ貝殻を約５ｍｍ角に破砕し、５００℃〜１０００℃の温度下で仮焼した後、水で消化して乾燥し、更に平均粒径１〜３０μに粉砕した材料である。粉末は炭酸カルシウム、水酸化カルシウム、酸化カルシウムの混合物であり、その他微量な塩素、珪素、アルミニウム等の元素からなるもので、水溶液のＰＨは８〜１２である。
【００１９】
次に、使う素材にホタテ貝殻粉末を貼着させる必要があるが、その貼着方法の具体例としては、ホタテ貝殻を含む懸濁液を作製後、例えばウレタンフォーム等の発泡体の表面に塗布する方法や、クッション材として使う羽毛や綿状の充填物を、粉末を含む泥漿に浸漬した後乾燥貼着させる方法等がとられる。
【００２０】
ホタテ貝殻粉末を使ったウレタン発泡体、織布等から成る寝具類用の懸濁液は水１００部とバインダー５０〜１５０部を混合した液にホタテ貝殻粉末を２〜５０部添加してなるエマルジョン型の水性懸濁液である。そのように調整した懸濁液をスプレーガン或いは刷毛をもって素材であるウレタンフォーム等の表面に塗布する。塗布量は塗布して乾燥後素材１ｍ２ 当たりの重量で表示される。貼着量は寝具の用途に応じて変えることができるが、５〜１００ｇ／ｍ２ 内に収めることが望ましい。
【００２１】
尚、使用可能なバインダーの例としては、水に分散したアクリル酸エステル系共重合体、ポリエステル系ウレタン、ポリエーテル系ウレタン、酢酸ビニル系共重合体等で乾燥後粘弾性を持つ高分子のエマルジョンが用いられる。
【実施例】
【００２２】
（実施例）
懸濁液に使用するホタテ貝殻粉末は、原料のホタテ貝殻を７００℃で仮焼した後、水で消化して乾操後さらに粉砕し、平均粒径およそ１０μのものを使用した。先ず溶媒である水１００部に対してバインダーとしてアクリル酸エステル系共重合体エマルジョン１５０部を加え、均一な分散液を用意した。そこへ前記粉砕したホタテ貝殻粉末と、比較のために同様のカルシウム化合物である風化サンゴ及び両者の混合物を用意し、これらを使ってイオン発生用の懸濁液を作製した。ここで用意された懸濁液を表面を凹凸に形成したいわゆるプロファイル加工を施したウレタンフオ−ムの表面１ｍ２ 当たり乾燥後の塗布量として約３０ｇ／ｍ２ になるように塗布し、下記の測定法に従ってイオン発生数を測定した。その結果は表１に示した。
【００２３】
（マイナスイオンの測定）
マイナスイオンはホタテ貝殻粉末の入った塗膜に刺激を加えて発生させる。刺激の加え方としては、人の手の平、或いは動物性の毛でできた刷毛で、対象物の表面を縦方向或いは横方向に連続して擦る方法がとられる。擦る頻度は周波数にして２〜３Ｈｚ程度であるが、同様の刺激は機械に頼って加えても良い。
【００２４】
マイナスイオンの発生個数は神戸イオン商会製同軸円筒型電極を持つＫＳＴ−９００を使って測定した。前記の方法により発生したマイナスイオンは空気中に発散し易いため、測定に当たっては試料と測定器を外気の影響を受けない風防の中に入れ、刺激を加えてイオンが発生したところで直ちに測定器に吸引させた。観測されるイオン数は発生個数／ｃｃとして表示されるが、通常は所定の時間刺激を加えたときの時間平均値を単位発生量とした。
【００２５】
【表１】
2006271754.tif 000002
【００２６】
（測定結果）
表１から明らかなように、ホタテ貝殻粉末から発生するマイナスイオン発生個数は同じカルシウム系化合物から出発する風化サンゴ粉末に比べて１０倍以上になり、しかも風化サンゴとの混合系においてもその配合比に拘わらず単体同等かそれ以上の効果を示した。このデータはホタテ貝殻粉末が優れたマイナスイオン発生体であることを示している。
【産業上の利用可能性】
【００２７】
本発明は、安価で入手が極めて容易なホタテ貝殻を用い、この粉末を内装材として用いることによって、マイナスイオンの大量の発生を有し、更に、通気性、吸水性、脱臭性、抗菌性等を備えた寝具が得られるものであり、掛け布団、敷き布団、枕のみならず、敷布、各種衣料品にも広く利用できるものである。